(57)【要約】【課題】  利用者が医学的に充分な知識を備えていなくとも、健康診断データを基にして、推奨食材あるいは推奨メニューを提示してくれる健康管理情報提供システムを提供することを目的とする。【解決手段】  利用者側端末１と、病院、診療所あるいは集中管理センタに設置された管理装置３と、スーパー等８及びレストラン６の情報提供装置とを通信ネットワーク１０により接続し、前記管理装置３に、健康状態を記憶した記憶手段と、健康状態分析手段１６と健康状態分析データ記憶部１７とからなる分析手段３ｂと、不足栄養成分抽出データ記憶部２０と必要カロリー抽出データ記憶部２３とからなる抽出手段３ｃとを設け、情報提供装置に、利用者データ読取手段と食材別あるいはメニュー別栄養データベースと推奨食材選択手段あるいは推奨メニュー選択手段とからなる記憶演算手段と表示手段とを設ける。【選択図】図１
2007058252.tif 000002
【特許請求の範囲】
【請求項１】
利用者の健康情報を記憶させた利用者データベースを設け、医療機関あるいは集中管理センタに設置された管理装置と、前記利用者データベースに基づいて、利用者の健康状態に適合した推奨食材あるいは推奨メニューを情報提供データベースから選択できる選択手段を設けた情報提供装置と、利用者の利用者側端末とを通信ネットワークにより接続した健康管理情報提供システムであって、
利用者からの要求により、前記管理装置から前記通信ネットワークを介して前記利用者データベースに記憶されたデータを前記情報提供装置に読み込み、前記利用者に対し推奨食材あるいは推奨メニューの情報を提供するようにしたことを特徴とする健康管理情報提供システム。
【請求項２】
利用者側端末と、管理装置と、情報提供装置とを接続する通信ネットワークと、前記管理装置を構成する、健康診断記録を記憶した記憶手段と、同記憶手段に記憶された健康状態から摂取栄養を分析する分析手段と、同分析手段から抽出したデータを記憶する抽出手段と、前記情報提供装置を構成する、前記抽出手段に記憶されたデータを読取る利用者データ読取手段と、食材毎あるいはメニュー毎の栄養成分を記憶した食材別栄養データベースあるいはメニュー別栄養データベースと、これらから前記利用者データ読取手段に基づいて推奨食材あるいは推奨メニューを選択する選択手段とからなる記憶演算手段と、推奨食材あるいは推奨メニューを利用者に提示する表示手段とからなることを特徴とする健康管理情報提供システム。
【発明の詳細な説明】
【技術分野】
【０００１】
本発明は、利用者が適切な健康管理の情報を得ることのできる健康管理情報提供システムに係わり、より詳細には、利用者の健康診断データ等に基づいて必要摂取栄養成分、カロリ過不足等を自動的に分析し、スーパーあるいはレストラン等の店舗において、適切な食材あるいはメニュー等を提示できる構成に関する。
【背景技術】
【０００２】
従来の健康管理及び情報収集システムとして、例えば図７（Ａ）で示すように、記憶手段５３と演算手段５４と表示手段５５等からなる端末装置５２をレストランに設置した構成がある。同端末装置５２は、利用者が摂取した食事データ、利用者に関する身長、体重等の個人データ及びレストラン側要求データを備えた記憶手段５１に接続され、同記憶手段５１に蓄えられた各種のデータを読取り、前記記憶手段５３の情報ファイルに一時的に格納するようになっている（例えば、特許文献１参照）。
【０００３】
前記演算手段５４には、栄養データ演算手段、ヘルスデータ演算手段等が備えられ、前記栄養データ演算手段は、前記記憶手段５３の情報ファイルに蓄えられた利用者の摂取食事データを基に、カロリー摂取量、栄養成分摂取量等を算出するようになっている。算出された摂取栄養データは、モニターテレビ等からなる前記表示手段５５に送出され利用者に開示される一方、図７（Ｂ）で示すチェックカード５６に記入され、利用者に送付あるいは手渡されるようになっている。
【０００４】
しかしながら、過去に摂取した食事に含有されるカロリー摂取量データ及び摂取栄養データ等が提供されても、利用者がこれらに関し医学的に充分な知識を備えていないと有効に活用できない虞があり、又、現在何らかの疾病を診療所、病院等で治療しているような利用者にとっては、専門的な知識がなくとも、必要摂取栄養成分、必要摂取カロリー及びこれらに関わる食材あるいはメニューを事前に提示してくれるような健康管理情報提供システムが求められていた。
【０００５】
【特許文献１】特開平８−１２３８５６号（４頁、図２）
【発明の開示】
【発明が解決しようとする課題】
【０００６】
本発明は、上記問題点に鑑み、一般の利用者あるいは何らかの疾病を診療所、病院等で治療しているような利用者が医学的に充分な知識を備えていなくとも、健康診断データあるいは治療経過記録を基にして、必要摂取栄養成分、過剰栄養成分、不足栄養成分及び必要摂取カロリー等を自動的に算出するとともに、これらの情報を利用者の求めに応じて、店舗あるいはレストランに備えられた情報提供装置に送出し、推奨食材あるいは推奨メニューを事前に提示してくれる健康管理情報提供システムを提供することを目的とする。
【課題を解決するための手段】
【０００７】
本発明は、上記課題を解決するため、利用者の健康情報を記憶させた利用者データベースを設け、医療機関あるいは集中管理センタに設置された管理装置と、前記利用者データベースに基づいて、利用者の健康状態に適合した推奨食材あるいは推奨メニューを情報提示データベースから選択できる選択手段を設けた情報提供装置と、利用者の利用者側端末とを通信ネットワークにより接続した健康管理情報提供システムであって、
利用者からの要求により、前記管理装置から前記通信ネットワークを介して前記利用者データベースに記憶されたデータを前記情報提供装置に読み込み、前記利用者に対し推奨食材あるいは推奨メニューの情報を提供するようにした構成となっている。又、利用者側端末と、管理装置と、情報提供装置とを接続する通信ネットワークと、前記管理装置を構成する、健康診断記録を記憶した記憶手段と、同記憶手段に記憶された健康状態から摂取栄養を分析する分析手段と、同分析手段から抽出したデータを記憶する抽出手段と、前記情報提供装置を構成する、前記抽出手段に記憶されたデータを読取る利用者データ読取手段と、食材毎あるいはメニュー毎の栄養成分を記憶した食材別栄養データベースあるいはメニュー別栄養データベースと、これらから前記利用者データ読取手段に基づいて推奨食材あるいは推奨メニューを選択する選択手段とからなる記憶演算手段と、推奨食材あるいは推奨メニューを利用者に提示する表示手段とから構成となっている。
【発明の効果】
【０００８】
本発明によると、利用者及び利用者側端末と、病院、診療所等の医療機関あるいは集中管理センターに設置された管理装置と、スーパーあるいはレストラン等の店舗に設置された情報提供装置とを通信ネットワークにより接続し、医療機関の管理装置に、記憶手段と、健康状態分析データと必要栄養成分分析手段とカロリー過不足分析手段とからなる分析手段と、不足栄養成分抽出データと過剰栄養成分抽出データと必要カロリー抽出データとからなる抽出手段とを設け、スーパー等の店舗に設置された情報提供装置に、利用者データ読取手段と食材別栄養データベースと推奨食材選択手段とからなる記憶演算手段と、表示手段とを設けるとともに、レストラン等の店舗に設置された情報提供装置に、利用者データ読取手段とメニュー別栄養データベースと推奨メニュー選択手段とからなる記憶演算手段と、表示手段とを設けることにより、利用者の要求に応じて、利用者に関する不足栄養成分抽出データ、過剰栄養成分抽出データ及び必要カロリー抽出データが、インターネットあるいは専用通信回線等からなる通信ネットワークを介してスーパー等の店舗の情報提供装置に送出され、前記推奨食材選択手段は、送出されたデータを基にして、利用者が摂取すべき栄養成分を含有した食材を適宜選択し、これを表示手段により表示するようになっている。また、レストラン等の店舗では、利用者が摂取すべき栄養成分を含有したメニューを適宜選択して推奨メニューとして表示手段により表示するようになっている。これにより、利用者が医学的な専門知識を持ち合わせていなくとも、健康維持及び健康向上に寄与することのできる健康管理情報提供システムとすることができる。
【発明を実施するための最良の形態】
【０００９】
以下、本発明の実施の形態を、添付図面に基づいた実施例として詳細に説明する。
【実施例１】
【００１０】
図１は本発明による健康管理情報提供システムの概念図であり、図２は病院及び診療所等の医療機関に設置された管理装置の構成を示す構成図である。又、図３はスーパー及びレストラン等の店舗に設置された情報提供装置の構成を示す構成図であり、図４はデータベースの構成を示す構成図である。又、図５及び図６は処理手順を示すフローチャートである。
【００１１】
本発明による健康管理情報提供システムは、図１で示すように、利用者側端末１と、病院、診療所等の医療機関２あるいは集中管理センタに設置された管理装置３と、病院あるいは診療所に連携する医療関係機関４及びこれに設置された管理装置５と、スーパー等の店舗８及びこれに備えられた情報提供装置９と、レストラン６及びこれに備えられた情報提供装置７とを、インターネットあるいは専用通信回線等の通信ネットワーク１０により接続して構成されている。
【００１２】
前記医療関係機関４の管理装置５には、図２（Ａ）で示すように、本願による健康管理情報提供システムを契約した、健常な一般の利用者１００が受診した健康診断受診記録１１と、同健康診断受診記録１１に基づいて健康状態を分析したデータを記憶した健康診断データ記憶部１２とが設けられ、これらは、利用者１００のＩＤ入力による要求に応じ、前記通信ネットワーク１０を介して病院、診療所等あるいは集中管理センタの管理装置３に備えられた、後述する分析手段３ｂに送出されるようになっている。尚、上記した利用者１００には、健常者あるいは現在何らかの疾病を治療中の利用者等があるが、全て符号は利用者１００として説明する。
【００１３】
病院、診療所等の医療機関２あるいは集中管理センタに設置された前記管理装置３には、図２（Ｂ）で示すように、記憶手段３ａと、分析手段３ｂと、抽出手段３ｃとからなる利用者データベースが設けられるとともに、図示はされていないが、前記医療関係機関４の管理装置５からの、健常な一般の利用者１００に関わる健康情報を前記通信ネットワーク１０を介して受信する受信手段と、前記抽出手段３ｃから前記店舗８に設置された情報提供装置９及びレストラン６に設置された情報提供装置７にインターネットあるいは専用通信回線等の前記通信ネットワーク１０を介してデータを送信あるいは受信する送受信手段等が設けられている。
【００１４】
前記管理装置３の前記記憶手段３ａには、現在入院中の患者の精密健康診断記録とともに、過去に入院した患者及び現在通院中の患者の精密健康診断受診記録１３と、この際に行われた問診を記録した問診記録データ記憶部１４と、例えば糖尿病、高血圧等の疾病を有する利用者１００の治療経過を記録した治療経過記録記憶部１５とが設けられており、これらは利用者１００が健康管理情報提供システムを契約すれば、健康管理情報として活用されるようになっている。
【００１５】
前記管理装置３の前記分析手段３ｂには、過去に入院歴のある利用者１００及び現在通院中の利用者１００の前記精密健康診断受診記録１３及び前記医療関係機関４から送出された健常な一般の利用者１００に関わる健康情報と、前記問診記録データ記憶部１４と前記治療経過記録記憶部１５とに記憶された夫々のデータを基にして、利用者１００の現在の健康状態を分析する健康状態分析手段１６と、同健康状態分析手段１６により分析されたデータを記憶した健康状態分析データ記憶部１７と、同健康状態分析データ記憶部１７に記憶されたデータを基にして、利用者１００に必要とされる栄養素、例えば炭水化物、タンパク質、脂質、ナトリウム、ビタミンＡ、ビタミンＢ等の各種ビタミン、塩分、カルシウム及び食物繊維等の各種栄養素の過剰あるいは不足状態を分析し演算する必要栄養成分分析手段１８と、利用者１００の摂取カロリーの過不足を分析するカロリー過不足分析手段１９とが設けられている。
【００１６】
前記管理装置３の前記抽出手段３ｃには、前記必要栄養成分分析手段１８による必要栄養成分分析結果と、前記カロリー過不足分析手段１９によるカロリー過不足分析結果とを基にして、後述するＩＤ登録を行った利用者１００の個人夫々に対応して、上記した炭水化物、タンパク質、脂質、ナトリウム、ビタミンＡ、ビタミンＢ等の栄養素中で不足した摂取栄養素を抽出し、これを記憶した書換可能なデータテーブルとしての不足栄養成分抽出データ記憶部２０と、過剰に摂取している栄養成分を抽出し、これを記憶した過剰栄養成分抽出データ記憶部２１とが設けられるとともに、必要な摂取カロリーを抽出し、これを記憶した必要カロリー抽出データ記憶部２３が設けられている。尚、前記不足栄養成分抽出データ記憶部２０と前記過剰栄養成分抽出データ記憶部２１には、例えば高血圧症の利用者１００に対しては、特に塩分摂取量に関してのデータが強調して記録され、又、糖尿病の利用者１００に対しては、糖質の摂取量に関してのデータが強調して記録されるというように、疾病の種類によって特に注意を喚起するようになっている。
【００１７】
スーパー等の店舗８に設けられた前記情報提供装置９は、図３（Ａ）で示すように、栄養データベースを備えた記憶演算手段９ａと、表示手段９ｂとからなり、前記記憶演算手段９ａには、前記管理装置３に設けられた利用者１００の前記不足栄養成分抽出データ記憶部２０と、過剰栄養成分抽出データ記憶部２１と、必要カロリー抽出データ記憶部２３とから夫々のデータを要求に応じて読み込み、一時的に記憶する利用者データ読取手段２４と、図４（Ａ）で示すように、上記した栄養素、例えば炭水化物、タンパク質、脂質、ナトリウム、ビタミンＡ、ビタミンＢ等の各種ビタミン、塩分、カルシウム及び食物繊維等の各種栄養素含有量及びカロリー値を各種食材毎に対応して記憶した、情報提供データベースとしての食材別栄養データベース２５と、前記利用者データ読取手段２４を基にして、利用者１００が摂取すべき栄養素を含有した食材を前記食材別栄養データベース２５から適宜選択する推奨食材選択手段２６とが設けられている。
【００１８】
又、前記表示手段９ｂには、前記食材別栄養データベース２５から選択された食材を店舗内に備えられた表示装置３８に表示する推奨食材表示手段２７と、選択された食材の総カロリー値を演算して表示するカロリー値表示手段２８と、選択された食材の各種栄養素を食材毎、あるいは合計値として表示する栄養成分表示手段２９と、各種栄養素に対する説明及び適切な摂取方法等を提供するアドバイス情報表示手段３０とが設けられている。
【００１９】
前記レストラン６に設けられた前記情報提供装置７は、上記した店舗８の情報提供装置９と同様に、図３（Ｂ）で示すように、情報提供データベースとしてのメニュー別栄養データベース３２を備えた記憶演算手段７ａと、表示手段７ｂとからなり、前記記憶演算手段７ａには、前記管理装置３に記憶された利用者１００の前記不足栄養成分抽出データ記憶部２０と、過剰栄養成分抽出データ記憶部２１と、必要カロリー抽出データ記憶部２３とに記憶されたデータを要求に応じて読み込み、一時的に記憶する利用者データ読取手段３１と、図４（Ｂ）で示すように、上記した栄養素、例えば炭水化物、タンパク質、脂質、ナトリウム、ビタミンＡ、ビタミンＢ等の各種ビタミン、塩分、カルシウム及び食物繊維等の各種栄養素含有量及びカロリー値を、レストラン６が提供するメニュー毎に対応して記憶したメニュー別栄養データベース３２と、前記利用者データ読取手段３１によって読み込まれ、記憶されたデータを基にして、利用者１００が摂取すべき栄養素を含有したメニューを前記メニュー別栄養データベース３２から適宜選択し、これを推奨メニューとして提供する推奨メニュー選択手段３３とが設けられている。
【００２０】
又、前記表示手段７ｂには、前記メニュー別栄養データベース３２から選択されたメニューをレストラン内に備えられた表示装置３８に表示する推奨メニュー表示手段３４と、選択されたメニューの総カロリー値を演算して表示するカロリー値表示手段３５と、選択されたメニューに含有される各種栄養素名と、その含有量を表示する栄養成分表示手段３６と、各種栄養素に対する説明を提供するアドバイス情報表示手段３７とが設けられている。尚、前記食材別栄養データベース２５と前記メニュー別栄養データベース３２とは直接個々の店舗に設ける必要はなく、チェーン店あるいはフランチャイズ等で展開される店舗では本部に設置し、同本部と夫々の店舗を前記通信ネットワーク１０で繋ぐようにしてもよい。
【００２１】
又、前記店舗８での、前記推奨食材表示手段２７と、前記カロリー値表示手段２８と、前記栄養成分表示手段２９と、前記アドバイス情報表示手段３０とによる各種情報の表示及び前記レストラン６での、前記推奨メニュー表示手段３４と、前記カロリー値表示手段３５と、前記栄養成分表示手段３６と、前記アドバイス情報表示手段３７とによる各種情報の表示とは、インターネットあるいは専用通信回線等の前記通信ネットワーク１０を介して利用者１００が保有するパソコンあるいは携帯端末等に表示することが可能となっている。
【００２２】
次に、本システムの運用について、まず利用者１００がスーパー等の前記店舗８を利用する場合について図５のフローチャートを用いて改めて説明する。利用者１００は予め本システムにおいて利用者用ＩＤの登録による契約を、医療関係者等の承認に基づいて済ませておき、同利用者用ＩＤが利用者から本システムに入力されたら、前記通信ネットワーク１０を介した本システム内で各種情報が秘密保持情報として送信あるいは受信されるようになっている。
【００２３】
利用者１００が利用者ＩＤを入力すると（ＳＴＥＰ１）、健常な利用者かどうか判別され（ＳＴＥＰ２）、健常な利用者であれば、前記医療関係機関４の前記健康診断データ記憶部１２に記憶されたデータが、前記管理装置３に備えられた前記分析手段３ｂに送出されるようになっている。又、利用者１００が、過去に入院歴のある患者及び現在通院中の患者であれば、前記精密健康診断受診記録１３、前記問診記録データ記憶部１４及び前記治療経過記録記憶部１５からデータが前記分析手段３ｂに送出されるようになっている（ＳＴＥＰ３）。
【００２４】
健康状態に関するデータが前記分析手段３ｂに送出されると、医療関係者の確認及び承認に基づいて利用者１００の健康状態が分析され、分析されたデータが前記健康状態分析データ記憶部１７に格納されるとともに（ＳＴＥＰ４）、前記必要栄養成分分析手段１８と、カロリー過不足分析手段１９とに送出され、前記必要栄養成分分析手段１８で必要とされる栄養素が分析され、その必要摂取量が演算される（ＳＴＥＰ５）。又、前記カロリー過不足分析手段１９により、利用者１００の摂取カロリーの過不足が分析されるようになっている（ＳＴＥＰ６）。
【００２５】
分析されたデータは、続いて前記抽出手段３ｃに送出され、前記不足栄養成分抽出データ記憶部２０に不足した栄養素のデータが記憶されるとともに、前記過剰栄養成分抽出データ記憶部２１に過剰に摂取している栄養成分のデータが記憶され、又、前記必要カロリー抽出データ記憶部２３に、最低限必要な摂取カロリー量データが記憶されるようになっている（ＳＴＥＰ７）。
【００２６】
利用者１００からデータの送付先店舗が指定されると（ＳＴＥＰ８）、データテーブルとして記憶された前記不足栄養成分抽出データ記憶部２０、前記過剰栄養成分抽出データ記憶部２１及び前記必要カロリー抽出データ記憶部２３に記憶された夫々のデータが、インターネットあるいは専用通信回線等からなる前記通信ネットワーク１０により、前記病院、診療所あるいは集中管理センターの前記管理装置３から前記店舗８の前記情報提供装置９に送出され、これに備えられた前記利用者データ読取手段２４に読取られ、又、一時的に格納されるようになっている（ＳＴＥＰ９）。前記推奨食材選択手段２６は、格納されたデータを基にして、利用者１００が摂取すべき栄養成分を含有した食材を適宜選択する一方、摂取を控えたほうがよい栄養成分を含有した食材を推奨食材から除外するようになっている（ＳＴＥＰ１０）。
【００２７】
摂取すべき栄養成分を含有した食材が選択されると、前記表示手段９ｂにより、前記表示装置３８あるいは前記通信ネットワーク１０を介して利用者１００の端末に推奨食材が表示されるとともに、そのカロリー値、栄養成分が表示されるようになっている（ＳＴＥＰ１１）。利用者１００が表示された食材に同意すると購入が決定するが、同意しない場合は再度他の推奨食材が選択され、表示されるようになっている（ＳＴＥＰ１２）。最終的に購入食材が決定されるとアドバイス情報が表示され一連の操作が終了するようになっている。
【００２８】
次に、利用者１００が前記レストラン６を利用する場合について図６のフローチャートを用いて説明する。図６のフローチャートにおいて（ＳＴＥＰ７）までの病院、診療所側での処理手順は上記した例と同等なので説明を省略する。（ＳＴＥＰ７）に続いて利用者１００からデータの送付先レストラン６が指定されると（ＳＴＥＰ８）、前記不足栄養成分抽出データ記憶部２０、前記過剰栄養成分抽出データ記憶部２１及び前記必要カロリー抽出データ記憶部２３に記憶されたデータが、インターネットあるいは専用通信回線等からなる前記通信ネットワーク１０により、前記病院、診療所２あるいは集中管理センタの前記管理装置３から前記レストラン６の前記情報提供装置７に送出され、これに備えられた前記利用者データ読取手段３１に読取られ、又、一時的に格納されるようになっている（ＳＴＥＰ９）。前記推奨メニュー選択手段３３は、格納されたデータを基にして、利用者１００が摂取すべき栄養成分を含有したメニューを適宜選択する一方、摂取を控えたほうがよい栄養成分を含有したメニューを除外するようになっている（ＳＴＥＰ１０）。
【００２９】
摂取すべき栄養成分を含有したメニューが選択されると、前記表示手段７ｂにより、前記表示装置３８あるいは前記通信ネットワーク１０を介して利用者１００の端末に推奨メニューが表示されるとともに、そのカロリー値、栄養成分が表示されるようになっている（ＳＴＥＰ１１）。利用者１００が表示されたメニューにオーダーしない場合は再度他の推奨メニューが選択され、表示されるようになっている（ＳＴＥＰ１２）。最終的なオーダーが決定されると、これに関するアドバイス情報が表示されるようになっている。
【００３０】
又、利用者１００が摂取した栄養成分は前記管理装置３に新たなデータとして追加することも可能であり、以降の健康管理情報として活用することができる。
【００３１】
以上、説明したように、利用者１００の健康情報を前記通信ネットワーク１０を介して前記店舗８あるいはレストラン６に送出し、これを基にして推奨食材あるいは推奨メニューを提示することにより、医学的な専門知識を利用者１００が持ち合わせていなくとも、健康維持に寄与することのできる健康管理情報提供システムとすることができる。又、利用者の健康情報を利用者自身が記憶媒体に保存して所有することも可能であり、この場合は、同記憶媒体を直接店舗に持参し、店舗側端末で読み取らせることもできる。
【図面の簡単な説明】
【００３２】
【図１】本発明による健康管理及び通信ネットワークの概念図である。
【図２】（Ａ）は医療関係機関の管理装置の構成を示す構成図である。  （Ｂ）は病院、診療所等の医療機関の管理装置の構成を示す構成図である。
【図３】（Ａ）はスーパー等の店舗に備えられた情報提供装置の構成を示す構成図である。  （Ｂ）はレストランに備えられた情報提供装置の構成を示す構成図である。
【図４】（Ａ）はスーパー等の情報提供装置に設けられた食材別栄養データベースである。  （Ｂ）はレストランの情報提供装置に設けられたメニュー別栄養データベースである。
【図５】利用者が店舗を利用した場合の処理手順を示すフローチャートである。
【図６】利用者がレストランを利用した場合の処理手順を示すフローチャートである。
【図７】従来例での一例を示すブロック図である。
【符号の説明】
【００３３】
１  利用者端末
２  医療機関
３  管理装置
３ａ  記憶手段
３ｂ  分析手段
３ｃ  抽出手段
４  医療関係機関
５  管理装置
６  レストラン
７  情報提供装置
７ａ  記憶演算手段
７ｂ  表示手段
８  店舗
９  情報提供装置
９ａ  記憶演算手段
９ｂ  表示手段
１０  通信ネットワーク
１１  健康診断受診記録
１２  健康診断データ記憶部
１３  精密健康診断受診記録
１４  問診記録データ記憶部
１５  治療経過記録データ記憶部
１６  健康状態分析手段
１７  健康状態分析データ記憶部
１８  必要栄養成分分析手段
１９  カロリー過不足分析手段
２０  不足栄養成分抽出データ記憶部
２１  過剰栄養成分抽出データ記憶部
２３  必要カロリー抽出データ記憶部
２４  利用者データ読取手段
２５  食材別栄養データベース
２６  推奨食材選択手段
２７  推奨食材表示手段
２８  カロリー値表示手段
２９  栄養成分表示手段
３０  アドバイス情報表示手段
３１  利用者データ読取手段
３２  メニュー別栄養データベース
３３  推奨メニュー選択手段
３４  推奨メニュー表示手段
３５  カロリー値表示手段
３６  栄養成分表示手段
３７  アドバイス情報表示手段
３８  表示装置
【図１】
2007058252.tif 000003
【図２】
2007058252.tif 000004
【図３】
2007058252.tif 000005
【図４】
2007058252.tif 000006
【図５】
2007058252.tif 000007
【図６】
2007058252.tif 000008
【図７】
2007058252.tif 000009